(57)【要約】【課題】本発明は境界線と接していても、地震等によって揺れ動いても、境界線を越えて突出するのを確実に阻止することができ、かつ確実に水切りが可能な水切屋根を得るにある。【解決手段】免震ビル等の建物の外壁面と境界線近傍に設けたよう壁との間を水切り可能に覆うほぼ中央部より上方へのみ折りたたむことができる上端部が免震ビル等の建物の外壁面に上下方向に回動可能に取付けられた水切屋根本体と、この水切屋根本体の上端部が取付けられた部位の下部位置の外壁面に下端部が枢支され上端部が該水切屋根本体の下部寄りの部位に枢支された少なくとも２個以上の支持アームと、この支持アームの上端部寄りの部位にそれぞれほぼ中央部が枢支され下端部がよう壁の内側部に接触し上端部が水切屋根本体のほぼ中央部に当接する地震等によってよう壁と外壁面との間が狭くなると該水切屋根本体のほぼ中央部を上方へ押し上げる押し上げアームとで水切屋根を構成している。【選択図】　図１
2004060273.tif 000002
【特許請求の範囲】
【請求項１】
免震ビル等の建物の外壁面と境界線近傍に設けたよう壁との間を水切り可能に覆う、ほぼ中央部より上方へのみ折りたたむことができる上端部が前記免震ビル等の建物の外壁面に上下方向に回動可能に取付けられた水切屋根本体と、この水切屋根本体の上端部が取付けられた部位の下部位置の外壁面に下端部が枢支され、上端部が該水切屋根本体の下部寄りの部位に枢支された、少なくとも２個以上の支持アームと、この支持アームの上端部寄りの部位にそれぞれほぼ中央部が枢支され、下端部が前記よう壁の内側部に接触し、上端部が前記水切屋根本体のほぼ中央部に当接する、地震等によってよう壁と外壁面との間が狭くなると該水切屋根本体のほぼ中央部を上方へ押し上げる押し上げアームとからなることを特徴とする水切屋根。
【請求項２】
免震ビル等の建物の外壁面と境界線近傍に設けたよう壁との間を水切り可能に覆う、ほぼ中央部より上方へのみ折りたたむことができるほぼ中央部にヒンジ部材を介して接続された上・下部屋根本体支持フレーム、この上部屋根本体支持フレームの上端部に取付けられた、前記免震ビル等の建物の外壁面に上下方向に回動可能に取付けられる取付け金具、前記下部屋根本体支持フレームの上面を覆う下部カバープレート、前記上部屋根本体支持フレームの上面を覆い下端部が下部カバープレートの上端部と水切り可能に重なり合う上部カバープレートとからなる水切屋根本体と、この水切屋根本体の上端部が取付けられた部位の下部位置の外壁面に下端部が枢支され、上端部が該水切屋根本体の下部屋根本体支持フレームの下端部寄りの部位に枢支された少なくとも２個以上の支持アームと、この支持アームの上端部寄りの部位にそれぞれほぼ中央部が枢支され、下端部が前記よう壁の内側部に接触し、上端部が前記水切屋根本体の下部屋根本体支持フーレームあるいは下部カバープレートの上端部寄りの部位と当接する、地震等によってよう壁と外壁面との間が狭くなると、該水切屋根本体のほぼ中央部を上方へ押し上げる押し上げアームとからなることを特徴とする水切屋根。
【請求項３】
免震ビル等の建物の外壁面と境界線近傍に設けたよう壁の上面に形成された該建物の外壁面側が上方に位置する傾斜面の支持台と、この支持台に支持され前記建物の外壁面とよう壁との間を水切り可能に覆う、上端部が前記免震ビル等の建物の外壁面に当接して上方に押し上げられる水切屋根本体と、この水切屋根本体の下部位置を前記よう壁の上面に該水切屋根本体の上端部が上方に回動可能に枢支する取り付け金具と、前記水切屋根本体を常時前記支持台に支持されるように付勢する付勢手段と、前記水切屋根本体の上端部の下部位置の前記建物の外壁面にとり付けられた樋とからなることを特徴とする水切屋根。
【請求項４】
免震ビル等の建物の外壁面と境界線近傍に設けたよう壁の上面に形成された該建物の外壁面側が上方に位置する傾斜面の支持台と、この支持台に支持され前記建物の外壁面とよう壁との間を水切り可能に覆う、上端部が前記免震ビル等の建物の外壁面に当接して上方に押し上げられる水切屋根本体と、この水切屋根本体の下部位置を前記よう壁の上面に該水切屋根本体の上端部が上方に回動可能に枢支する取り付け金具と、前記水切屋根本体の上端部の下部位置の前記建物の外壁面にとり付けられた樋と、地震等によって前記建物の外壁面とよう壁との間が狭くなると前記水切屋根本体の上端部を上方に押し上げる押上機構とからなることを特徴とする水切屋根。
【発明の詳細な説明】
【０００１】
【発明の属する技術分野】
本発明は免震ビル等の建物の外壁面と、他人の土地との境界線との間が狭い場合に使用される、庇等の水切屋根に関する。
【０００２】
【従来の技術】
従来、免震ビル等の建物の外壁面には、固定的に取付けられる庇が設けられている。
【０００３】
【発明が解決しようとする課題】
従来の庇は免震ビル等の建物の外壁面に固定的に取付けられているため、他人の土地との境界線との間が狭い場合、５００ミリ前後移動可能な免震ビルにあっては、庇の先端部が境界線を越えてしまうという欠点があった。
【０００４】
本発明は以上のような従来の欠点に鑑み、境界線と接していても、地震等によって揺れ動いても、境界線を越えて突出するのを確実に阻止することができ、かつ確実に水切りが可能な水切屋根を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は免震ビル等の建物の外壁面と境界線近傍に設けたよう壁との間を水切り可能に覆う、ほぼ中央部より上方へのみ折りたたむことができる上端部が前記免震ビル等の建物の外壁面に上下方向に回動可能に取付けられた水切屋根本体と、この水切屋根本体の上端部が取付けられた部位の下部位置の外壁面に下端部が枢支され、上端部が該水切屋根本体の下部寄りの部位に枢支された、少なくとも２個以上の支持アームと、この支持アームの上端部寄りの部位にそれぞれほぼ中央部が枢支され、下端部が前記よう壁の内側部に接触し、上端部が前記水切屋根本体のほぼ中央部に当接する、地震等によってよう壁と外壁面との間が狭くなると該水切屋根本体のほぼ中央部を上方へ押し上げる押し上げアームとで水切屋根を構成している。
【０００７】
【発明の実施の形態】
以下、図面に示す実施の形態により、本発明を詳細に説明する。
【０００８】
図１ないし図８に示す本発明の第１の実施の形態において、１は免震ビル等の建物２の外壁面３と境界線Ｘ近傍に設けられたよう壁４との間の目地部５を水切り可能に覆う本発明の水切屋根で、この水切屋根１は前記免震ビル等の建物２の外壁面３に上下方向に回動可能に取付けられた、ほぼ中央部より上方へのみ折りたたむことができる水切屋根本体６と、この水切屋根本体６の上端部が取付けられた部位の下部位置の外壁面３に複数本のビス７等で固定された下部取付け金具８に下端部が枢支ピン９で枢支され、上端部が該水切屋根本体６の下端部寄りの部位に複数本のビス７等で固定された上部取付け金具１０に枢支ピン１１で枢支された少なくとも２個以上の支持アーム１２、１２と、この支持アーム１２、１２の上端部寄りの部位にそれぞれほぼ中央部が枢支ピン１３、１３で枢支され、ローラ１４が取付けられた下端部が前記よう壁４の内側面４ａに接触し、上端部が前記水切屋根本体６のほぼ中央部に当接する、地震等によってよう壁４と外壁面３との間が狭くなると、該水切屋根本体６のほぼ中央部を上方へ押し上げる押し上げアーム１５、１５とで構成されている。
【０００９】
前記水切屋根本体６は図４および図５に示すように、常時はほぼ直線状態に保持され、上方へのみ折りたたむことができるようにヒンジ部材１６を介して接続された上・下部屋根本体支持フレーム１７、１８と、この上部屋根本体支持フレーム１７の上端部に複数本のビス１９によって固定された先端部が玉縁形状の軸部２０が形成された軸２１、この軸２１の軸部２０を所定量、上下方向に回動可能に支持するＣ字状の軸受部２２が形成された、前記外壁面３に複数本のビス１９で固定される軸受部材２３とからなるヒンジ部材２４と、前記下部屋根本体支持フレーム１８の上面を覆う下部カバープレート２５と、前記上部屋根本体支持フレーム１７の上面および前記下部カバープレート２５の上部部分を水切り可能に覆う上部カバープレート２６とで構成されている。
【００１０】
上記構成の水切屋根１は、通常状態では図１および図２に示す状態となっている。
【００１１】
地震等によって目地部５が狭くなるように揺れ動いた場合には、図６に示すように押し上げアーム１５、１５が矢印Ａ方向に回動して、水切屋根本体６のほぼ中央部を上方へ押し上げるとともに、さらに目地部５が狭くなると図７に示すように、支持アーム１２、１２が外壁面３との角度が小さくなるように立ち上がるとともに、水切屋根本体６の中央部が上方へ突出するように折りたたまれ、水切屋根本体６の先端部が境界線Ｘより外方へ突出するのを確実に阻止することができる。
【００１２】
また、目地部５が元の状態に戻る場合には水切屋根本体６や支持アーム１２、１２の自重によって、元の状態に自動的に戻る。
目地部５が広くなるように揺れ動いた場合には、図８示すように支持アーム１２、１２で水切屋根本体６を支持した状態で、よう壁４から離れた状態でその揺れ動きを吸収する。
【００１３】
【発明の異なる実施の形態】
次に、図９ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図９ないし図１１に示す本発明の第２の実施の形態において、前記本発明の第１の実施の形態と主に異なる点は、ヒンジ部材として蝶番２４Ａを用い、該蝶番２４Ａの取付け部の外壁面の上部に水切板２７を取付けるとともに、押し上げアーム１５Ａ、１５Ａの先端部にもローラ２８、２８を取付けた点で、このように構成した水切屋根１Ａにしても、前記本発明の第１実施の形態と同様な作用効果が得られる。
【００１５】
図１２ないし図１４に示す本発明の第３の実施の形態において、前記本発明の第１の実施の形態と主に異なる点は、下部カバープレート２５Ａと上部カバープレート２６Ａとを蝶番２９で上方へのみ折りたたむことができるようにした水切屋根本体６Ａを用いた点で、このように構成した水切屋根１Ｂにしても、前記本発明の第１の実施の形態と同様な作用効果が得られるとともに、水切屋根本体６Ａを安価に製造することができる。
【００１６】
図１５ないし図１７に示す本発明の第４の実施の形態において、前記本発明の第１の実施の形態と主に異なる点は、免震ビル等の建物２の外壁面３と境界線近傍に設けたよう壁４の上面に形成された該建物２の外壁面３側が上方に位置する傾斜面の支持台３０と、この支持台３０に支持され前記建物２の外壁面３とよう壁４との間の目地部５を水切り可能に覆う、上端部が前記免震ビル等の建物２の外壁面３に当接して上方に押し上げられる水切屋根本体６Ｂと、この水切屋根本体６Ｂの下部位置を前記よう壁４の上面に該水切屋根本体６Ｂの上端部が上方に回動可能に枢支する取り付け金具３１と、前記水切屋根本体６Ｂを常時前記支持台３０に支持されるように付勢する付勢手段３２と、前記水切屋根本体６Ｂの上端部の下部位置の前記建物２の外壁面３にとり付けられた樋３３とで水切屋根１Ｃを構成した点で、このように構成しても前記本発明の第１の実施の形態と同様な作用効果が得られる。
【００１７】
図１８ないし図２０に示す本発明の第５の実施の形態において、前記本発明の第４の実施の形態と主に異なる点は、水切屋根本体６Ｂのほぼ中央部に枢支ピン３４で上端部が枢支され、下端部が樋３３の下部位置の免震ビル等の建物２の外壁面３に取り付けられた支持部材３５に支持される押し上げアーム１５Ｂ、水切屋根本体６Ｂが支持台３０に支持された状態で前記押し上げアーム１５Ｂの下端部が前記支持部材３５に支持されるように付勢する付勢手段としての付勢スプリング３６、前記押し上げアーム１５Ｂが所定量以上付勢されないように係止するストッパー３７とからなる水切屋根本体６Ｂの上端部を上方に押し上げる押上機構３８とを用いた点で、このように構成した水切屋根１Ｄにしても、前記本発明の第４の実施の形態と同様な作用効果が得られる。
【００１８】
図２１ないし図２３に示す本発明の第６の実施の形態において、前記本発明の第５の実施の形態と主に異なる点は、後端部がよう壁４の内壁面に固定された支持台３９に枢支ピン４０で枢支されほぼ４５度の傾斜状態で配置された先端部が免震ビル等の建物２の外壁面３にローラ４１を介して当接する開閉アーム４２と、この開閉アーム４２の回動によって水切屋根本体６Ｂを上方に押し上げることができるように前記支持台３９に枢支ピン４３によって先端部が上方に回動する押し上げ片４４とからなる水切屋根本体６Ｂの上端部を上方に押し上げる押上機構３８Ａとを用いた点で、このように構成した水切屋根１Ｅにしても、前記本発明の第５の実施の形態と同様な作用効果が得られる。
【００１９】
【発明の効果】
以上の説明から明らかなように、本発明にあっては次に列挙する効果が得られる。
【００２０】
（１）免震ビル等の建物の外壁面と境界線近傍に設けたよう壁との間を水切り可能に覆う、ほぼ中央部より上方へのみ折りたたむことができる上端部が前記免震ビル等の建物の外壁面に上下方向に回動可能に取付けられた水切屋根本体と、この水切屋根本体の上端部が取付けられた部位の下部位置の外壁面に下端部が枢支され、上端部が該水切屋根本体の下部寄りの部位に枢支された、少なくとも２個以上の支持アームと、この支持アームの上端部寄りの部位にそれぞれほぼ中央部が枢支され、下端部が前記よう壁の内側部に接触し、上端部が前記水切屋根本体のほぼ中央部に当接する、地震等によってよう壁と外壁面との間が狭くなると該水切屋根本体のほぼ中央部を上方へ押し上げる押し上げアームとで構成されているので、境界線方向に建物が揺れ動いた場合、押し上げアームによって水切屋根本体のほぼ中央部を上方へ押し上げ、支持アームが立ち上がるように回動して水切屋根本体をほぼ中央部より上方へのみ折りたたみながら外方向へ回動させることができる。
したがって、水切屋根本体の先端部が境界線を越えて突出するのを確実に阻止できる。
【００２１】
（２）前記（１）によって、境界線より離れるように建物が揺れ動いた場合には支持アームに支持された状態で離れる。
したがって、損傷したりするのを確実に防止することができる。
【００２２】
（３）前記（１）によって、ほぼ中央部より上方へのみ折りたたむことができる水切屋根本体と、支持アーム、押し上げアームとで構成しているので、構造が簡単で、安価に製造することができるとともに、容易に設置することができる。
【００２３】
（４）請求項２、３、４も前記（１）〜（３）と同様な効果が得られる。
【図面の簡単な説明】
【図１】本発明の第１の実施の形態の側面図。
【図２】本発明の第１の実施の形態の平面図。
【図３】図１の３−３線に沿う断面図。
【図４】本発明の第１の実施の形態の水切屋根本体の平面図。
【図５】本発明の第１の実施の形態の水切屋根本体の底面図。
【図６】本発明の第１の実施の形態の目地部が狭くなりはじめの動作説明図。
【図７】本発明の第１の実施の形態の目地部が狭くなった動作説明図。
【図８】本発明の第１の実施の形態の目地部が広くなった動作説明図。
【図９】本発明の第２の実施の形態の側面図。
【図１０】本発明の第２の実施の形態の平面図。
【図１１】図９の１１−１１線に沿う断面図。
【図１２】本発明の第３の実施の形態の平面図。
【図１３】図１２の１３−１３線に沿う断面図。
【図１４】本発明の第３の実施の形態の水切屋根本体の説明図。
【図１５】本発明の第４の実施の形態の側面図。
【図１６】本発明の第４の実施の形態の平面図。
【図１７】図１５の１７−１７線に沿う断面図。
【図１８】本発明の第５の実施の形態の側面図。
【図１９】図１８の１９−１９線に沿う断面図。
【図２０】本発明の第５の実施の形態の目地部が狭くなった動作説明図。
【図２１】本発明の第６の実施の形態の平面図。
【図２２】図２１の２２−２２線に沿う断面図。
【図２３】本発明の第６の実施の形態の目地部が狭くなった動作説明図。
【符号の説明】
１、１Ａ〜１Ｅ：水切屋根、
２：建物、　　　　　　　３：外壁面、
Ｘ：境界線、　　　　　　４：よう壁、
５：目地部、　　　　　　６、６Ａ、６Ｂ：水切屋根本体、
７：ビス、　　　　　　　８：下部取付け金具、
９：枢支ピン、　　　　　１０：上部取付け金具、
１１：枢支ピン、　　　　１２：支持アーム、
１３：枢支ピン、　　　　１４：ローラ、
１５、１５Ａ、１５Ｂ：押し上げアーム、
１６：ヒンジ部材、
１７：上部屋根本体支持フレーム、
１８：下部屋根本体支持フレーム、
１９：ビス、　　　　　　２０：軸部、
２１：軸、　　　　　　　２２：軸受部、
２３：軸受部材、　　　　２４：ヒンジ部材、
２５、２５Ａ：下部カバープレート、
２６、２６Ａ：上部カバープレート、
２７：水切板、　　　　　２８：ローラ、
２９：蝶番、　　　　　　３０：支持台、
３１：取り付け金具、　　３２：付勢手段、
３３：樋、　　　　　　　３４：枢支ピン、
３５：支持部材、　　　　３６：付勢スプリング、
３７：ストッパー、　　　３８、３８Ａ：押上機構、
３９：支持台、　　　　　４０：枢支ピン、
４１：ローラ、　　　　　４２：開閉アーム
４３：枢支ピン、　　　　４４：押し上げ片。
【図１】
2004060273.tif 000003
【図２】
2004060273.tif 000004
【図３】
2004060273.tif 000005
【図４】
2004060273.tif 000006
【図５】
2004060273.tif 000007
【図６】
2004060273.tif 000008
【図７】
2004060273.tif 000009
【図８】
2004060273.tif 000010
【図９】
2004060273.tif 000011
【図１０】
2004060273.tif 000012
【図１１】
2004060273.tif 000013
【図１２】
2004060273.tif 000014
【図１３】
2004060273.tif 000015
【図１４】
2004060273.tif 000016
【図１５】
2004060273.tif 000017
【図１６】
2004060273.tif 000018
【図１７】
2004060273.tif 000019
【図１８】
2004060273.tif 000020
【図１９】
2004060273.tif 000021
【図２０】
2004060273.tif 000022
【図２１】
2004060273.tif 000023
【図２２】
2004060273.tif 000024
【図２３】
2004060273.tif 000025